(57)【要約】      （修正有）【課題】内容物放出機構の組立時のステム位置決め態様を従来のままとしつつ、噴射内容物に対するフィルタ作用部や流れ絞り作用部を備えたステム構造を提供する。【解決手段】ステム３を、噴射ボタン６側の筒状部材４と、その下側部分を囲む鞘状部材５とで構成し、当該鞘状部材の内周面と当該筒状部材の対応外周面との間に内容物通過域を設けた。この内容物通過域には、鞘状部材内周面と当接する筒状部材外周面部分に、流れ絞り用の縦スリット４ｇおよびその上流側のフィルタ用の縦スリット４ｅを形成している。噴射ボタン６とともにステム３が押し下げられるとバルブ作用部ｖが開き、容器内容物は「バルブ作用部ｖ−縦スリット４ｅ−縦スリット４ｇ−内部空間域４ａ」を経て外部空間に放出される。内部空間域４ａは筒状空間のままなので、組立工程におけるステムセンタリング用の（当該内部空間域に対する）従来の位置決め部材をそのまま利用。【選択図】図２
2008105682.tif 000002
【特許請求の範囲】
【請求項１】
容器内容物を外部空間に放出させるための操作部と連動して内容物通路域への開閉作用を呈するステムを備えた内容物放出機構において、
前記ステムは、前記操作部側に取り付けられる筒状部材および、当該筒状部材の下側部分を囲む形でこれと嵌合した鞘状部材からなり、
前記内容物通路域は、前記筒状部材の外周面と前記鞘状部材の内周面との間の上流側部分および、これに続く前記筒状部材の内部空間の下流側部分からなり、
前記上流側部分を構成する前記筒状部材の外周面および前記鞘状部材の内周面の一対部分に、内容物に対する流れ絞り部とその上流側のフィルタ作用部とを形成した、
ことを特徴とする内容物放出機構。
【請求項２】
前記流れ絞り部および前記フィルタ作用部は、内容物の流れ方向に沿ったスリット状のものである、
ことを特徴とする請求項１記載の内容物放出機構。
【請求項３】
請求項１または２に記載の内容物放出機構を備え、かつ、内容物噴射用ガスおよび内容物を収容した、
ことを特徴とするエアゾール式製品。
【請求項４】
請求項１または２に記載の内容物放出機構を備え、かつ、内容物を収容した、
ことを特徴とするポンプ式製品。
【発明の詳細な説明】
【技術分野】
【０００１】
本発明は、エアゾール容器などのステム周りの内容物放出機構に関し、特に容器内容物を外部空間に放出させるための操作部と連動して出力弁作用を呈するステムを、前記操作部側に取り付けられる筒状部材および、当該筒状部材を囲む形でこれと嵌合する鞘状部材により構成して、これら部材間の内容物通路域に内容物のフィルタ機能と流れ絞り機能とを持たせるようにした内容物放出機構に関する。
【０００２】
一般にエアゾール式製品やポンプ式製品は、その放出孔（噴射孔）から外部空間に本来の放出対象である内容物以外の異物（ゴミなど）が放出されずに、また、放出内容物の均一化や微粒子化を図れる態様のものが望ましく、本発明はこのような要請に、ステム部分の工夫により応えるものである。
【背景技術】
【０００３】
エアゾール容器のステムから操作部にいたる内容物通路域に、内容物のフィルタ作用部とその下流側の流れ絞り部とを形成する態様の内容物放出機構は、すでに提案されている（特許文献１参照）。
【０００４】
この内容物放出機構は、（筒状の）ステム内部空間にフィルタを設けて、ステムの下流側に取り付けたボタン（操作部）の噴射孔の径を所定範囲に絞り込んでいる。
【特許文献１】特開２０００−２３８８６８号公報
【発明の開示】
【発明が解決しようとする課題】
【０００５】
以上のエアゾール式製品の内容物放出機構の場合、内容物に対してのフィルタをステムの内部空間にいわば充填するようになっている。
【０００６】
そのため、ステムを、その保持作用部ともいえるハウジングやマウンティングキャップに組み込む工程において、通常のステムセンタリング用の位置決め部材をステム内部空間にセットすることができない、という問題点があった。
【０００７】
そこで本発明では、ステムを操作部側の筒状部材とその下側部分を囲む形の鞘状部材とに分割し、かつ、当該筒状部材の外周面と当該鞘状部材の内周面との間の内容物通路域に内容物のフィルタ作用部とその下流側の流れ絞り部とを形成することにより、内容物放出機構の組立工程におけるステムセンタリング用の位置決め部材をこれまでと同様にステム（筒状部材）の内部空間に設定可能とし、また外部空間に放出される内容物に対してのフィルタリングおよび均一化，微粒子化などを図る、ことを目的とする。
【課題を解決するための手段】
【０００８】
本発明は、以上の課題を次の内容物放出機構を用いて解決する。
（１）容器内容物を外部空間に放出させるための操作部（例えば後述の噴射ボタン６）と連動して内容物通路域への開閉作用を呈するステム（例えば後述のステム３）を備えた内容物放出機構において、
前記ステム（例えば後述のステム３）は、前記操作部側に取り付けられる筒状部材（例えば後述の筒状部材４）および、当該筒状部材の下側部分を囲む形でこれと嵌合した鞘状部材（例えば後述の鞘状部材５）からなり、
前記内容物通路域は、前記筒状部材の外周面（例えば後述の大径外周面４ｂ，中径外周面４ｄ，小径外周面４ｆ）と前記鞘状部材の内周面（例えば後述の開口側内周面５ｂ，大径内周面５ｃ，中径内周面５ｄ，小径内周面５ｅ）との間の上流側部分および、これに続く前記筒状部材の内部空間（例えば後述の内部空間域４ａ）の下流側部分からなり、
前記上流側部分を構成する前記筒状部材の外周面（例えば後述の中径外周面４ｄ，小径外周面４ｆ）および前記鞘状部材の内周面（例えば後述の大径内周面５ｃ，小径内周面５ｅ）の一対部分に、内容物に対する流れ絞り部とその上流側のフィルタ作用部とを形成する。
（２）上記（１）において、
前記流れ絞り部および前記フィルタ作用部として、内容物の流れ方向に沿ったスリット状のもの（例えば後述の縦スリット４ｅ，４ｇ）を用いる。
【０００９】
本発明は、このような構成からなる内容物放出機構ならびに、この内容物放出機構を備えたエアゾール式製品およびポンプ式製品を対象としている。
【発明の効果】
【００１０】
本発明は、このように、ステムを操作部側の筒状部材と、いわばその外側の鞘状部材とに分割し、かつ、当該筒状部材の外周面と当該鞘状部材の内周面との間の内容物通路域に内容物のフィルタ作用部とその下流側の流れ絞り部とを形成している。
【００１１】
そのため、内容物放出機構の組立工程におけるステムセンタリング用の位置決め部材をこれまでと同様に筒状ステムの内部空間に設定でき、外部空間に放出される内容物に対してのフィルタリングおよび均一化，微粒子化などを図ることができる。
【００１２】
また、ステムの筒状部材を容器本体側の鞘状部材から取り外して、その内容物通過用の内部空間域を清掃したり、筒状部材自体を新たなものと交換したりすることができる。
【発明を実施するための最良の形態】
【００１３】
図１乃至図３を用いて本発明を実施するための最良の形態を説明する。
【００１４】
上述したように、本発明の内容物放出機構はエアゾール式製品およびポンプ式製品に適用される、すなわちこれら各製品における外部空間への内容物の放出機構として作用するものであるが、以下の記載では単なる説明の便宜上、エアゾール式製品を前提とする。
【００１５】
ここで、
図１は、内容物放出機構の静止モード（噴射ボタンが操作されていない状態）を示し、
図２は、内容物放出機構の作動モード（噴射ボタンが操作されて下動した状態）を示し、
図３は、ステムのフィルタ作用部(a)および流れ絞り部(b)それぞれの部分における断面状態を示している。
【００１６】
以下のアルファベット付き参照番号の構成要素（例えば内部空間域４ａ）は原則として、当該参照番号の数字部分の構成要素（例えばステム３を構成する筒状部材４）の一部であることを示している。
【００１７】
図１〜図３において、
１は容器本体（図示省略）の開口端側部分に固定（クリンチ）された周知のマウンティングキャップ，
２はマウンティングキャップ１の中央開口部の内側部分に固定（クリンチ）された周知のハウジング，
３はバルブ機構の構成要素であってその下側部分がハウジング２の内部に収容された形のステム（＝筒状部材４＋鞘状部材５），
４はステム３を構成する内側部分であって後述の噴射ボタン６と嵌合する筒状部材，
４ａは内容物通過用の内部空間域，
４ｂは後述のステムガスケット８の内側環状端面と密接してシール作用を呈する大径外周面，
４ｃは大径外周面４ｂの上側に続く部分で後述のステムガスケット８とのシール面として作用する上方広がりのテーパ状外周面，
４ｄは大径外周面４ｂの下側（下流側）に続く中径外周面，
４ｅは中径外周面４ｄに形成されたフィルタ用の縦スリット（図３(a)参照），
４ｆは中径外周面４ｄの下側（下流側）に続く小径外周面，
４ｇは小径外周面４ｆに形成された流れ絞り用の縦スリット（図３(b)参照），
４ｈは筒状部材４の下端部分に形成された内容物通過用の複数の径方向凹状部，
５はステムを構成する外側下方部分であって筒状部材４の外周面との間に内容物通過用空間域を形成し、後述のステムガスケット８とともにバルブ作用部を画定する鞘状部材，
５ａはバルブ作用面としての上端環状面，
５ｂは筒状部材４の大径外周面４ｂなどとの間に内容物通過用の環状空間域を形成する開口側内周面，
５ｃは筒状部材４の中径外周面４ｄとの当接状態またはそれに近い状態に設定された大径内周面，
５ｄは筒状部材４の小径外周面４ｆとの間に内容物通過用の環状空間域を形成する中径内周面，
５ｅは小径外周面４ｆとの当接状態またはそれに近い状態に設定された小径内周面，
５ｆは筒状部材４の下端部分（径方向スリット４ｈを備えた部分）が当接する底面，
６は筒状部材４の上端側外面と嵌合した状態の噴射ボタン，
６ａは外部空間と連通する内容物通過用の内部空間域，
７は下端側がハウジング２の底面部分（の径方向に飛び飛びに形成されリブ状部の上面部分）に支持された状態で鞘状部材５を上方向に付勢して、その上端環状面５ａを後述のステムガスケット８に押し付けるための周知のコイルスプリング，
８はマウンティングキャップ１の天井部分とハウジング２の上端部分とに挟持されて、筒状部材４の大径外周面４ｂやテーパ状外周面４ｃとの間のシール作用および、鞘状部材５の上端環状面５ａとの間のバルブ作用を呈する周知のステムガスケット，
ｄ１はフィルタ用の縦スリット４ｅの最大深さ，
ｄ２は流れ絞り用の縦スリット４ｇの最大深さ，
ｗ１は縦スリット４ｅの幅，
ｗ２は縦スリット４ｇの幅，
ｖは鞘状部材５とステムガスケット８とで構成される内容物噴射用のバルブ作用部，
をそれぞれ示している。
【００１８】
マウンティングキャップ１はブリキ，アルミニウム，ステンレスなどからなる金属製のものであり、ハウジング２，ステム３（筒状部材４，鞘状部材５）や噴射ボタン６はポリプロピレン，ポリエチレン，ポリアセタール，ナイロン，ポリブチレンテレフタレートなどからなるプラスチック製のものである。
【００１９】
また、コイルスプリング７は金属や合成樹脂からなり、ステムガスケット８はブナＮ，ネオプレン，ブチルなどからなっている。
【００２０】
本発明の特徴は、
(11)ステム３を、鞘状部材５と、その中に下側部分が収容された態様の筒状部材４との二部材で構成し、
(12)この筒状部材４の外周面と鞘状部材５の内周面との間の内容物通過用の空間域に、内容物に対するフィルタ用の縦スリット４ｅと（その下流側の）流れ絞り用の縦スリット４ｇを形成した、
ことである。
【００２１】
すなわち、筒状部材４の内部空間にフィルタ部材は何も設定されていず、ステム３以外の各構成要素（マウンティングキャップ１，ハウジング２，噴射ボタン６，コイルスプリング７およびステムガスケット８）は汎用のものである。
【００２２】
ここで、噴射ボタン６が操作されていない図１の静止モードでは、ステム３（鞘状部材５）がコイルスプリング７の付勢力を受けて上動している。
【００２３】
この鞘状部材５の上動によりバルブ作用部ｖは閉状態に設定されるので、容器本体やハウジング２（の鞘状部材５の外側空間）に収納されている内容物が、鞘状部材５や筒状部材４の内部空間に移動することはない。
【００２４】
そして噴射ボタン６が押下げ操作された後の図２の作動モードでは、ステム３（筒状部材４，鞘状部材５）がハウジング２に対して下動する。
【００２５】
このステム３の下動によりバルブ作用部ｖが図示のように開き、容器本体（図示省略）の内容物は、「ハウジング２に取り付けられた周知のディップチューブ（図示省略）−ハウジング２の内部空間（鞘状部材５の外側でハウジング内周面の縦リブ間などの空間域）−バルブ作用部ｖ−筒状部材４の外周面と鞘状部材５の内周面との間の空間域−筒状部材４の径方向凹状部４ｈ−筒状部材４の内部空間域４ａ−噴射ボタン６の内部空間域６ａ」の経路により、外部空間に噴射される。
【００２６】
そして、この経路の一部である「筒状部材４の外周面と鞘状部材５の内周面との間の空間域」に、
(21)鞘状部材５の大径内周面５ｃと対向する筒状部材４の中径外周面４ｄの１２箇所に、フィルタ用の縦スリット４ｅを形成し、
(22)この中径外周面４ｄよりも下流側であって鞘状部材５の小径内周面５ｅと対向する筒状部材４の小径外周面４ｆの６箇所に、流れ絞り用の縦スリット４ｇを形成している（図３参照）。
【００２７】
これら縦スリット４ｅ，４ｇそれぞれの大きさは例えば、
(31)フィルタ用の縦スリット４ｅは「ｗ１＝0.15ｍｍ，ｄ１＝0.1ｍｍ」
(32)流れ絞り用の縦スリット４ｇは「ｗ２＝0.2ｍｍ， ｄ２＝0.1ｍｍ」
である。
【００２８】
そして、フィルタ作用部（縦スリット４ｅと大径内周面５ｃとの対向部分）の上下方向の長さは例えば「0.8ｍｍ」で、流れ絞り部（縦スリット４ｇと小径内周面５ｅとの対向部分）の上下方向の長さは「1.0ｍｍ」である。
【００２９】
このように、開状態のバルブ作用部ｖを通過した内容物は、先ず縦スリット４ｅに対応したフィルタ作用部を経てから、このフィルタ作用部よりも大きな横断面（流れ方向と略直交する断面）からなる流れ絞り部を通過することにより、筒状部材４の内部空間域４ａに流入していく。
【００３０】
すなわち、フィルタ作用部の横断面よりも大きな粒子などがすでにはじかれた態様の内容物が、大きな流れ抵抗の流れ絞り部を通過する。
【００３１】
したがって、フィルタ作用部（縦スリット４ｅ）から流れ絞り部（縦スリット４ｇ）に流入した内容物は、ここで詰まることなしに、均一化・微粒子化された形で外部空間に放出される。
【００３２】
また、上述したように、ハウジング２から露出する側のステム要素である筒状部材４の内部空間域は最初の孔部状態のままとなっているので、この内部空間域にステム組立工程における位置決め用治具などを設定することができる。
【００３３】
本発明が、図１〜図３に係る内容物放出機構に限定されないことは勿論である。
【００３４】
例えばフィルタ用縦スリットおよび流れ絞り用縦スリットを、鞘状部材５の内周面に形成する、また、筒状部材４の外周面および鞘状部材５の内周面の双方に形成するようにしてもよい。さらには、当該外周面または当接内周面の一方にフィルタ用縦スリットを形成して、他方に流れ絞り用縦スリットを形成するようにしてもよい。
【００３５】
また、これらスリットの個数や形状，サイズならびに、大径内周面５ｃおよび小径内周面５ｅそれぞれの上下方向の長さも、流れ絞り部がフィルタ作用部よりも大きな横断面を備えるなどの条件のもとで、上記数値と異なる態様に設定してもよい。例えば上記流れ絞り部の上下方向の長さは「0.5〜3.0ｍｍ」の範囲に設定されえる。
【００３６】
本発明が適用されるエアゾール式製品またはポンプ式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００３７】
容器本体に収納する内容物は、例えば、粉状物，油成分，アルコール類，界面活性剤，高分子化合物，各用途に応じた有効成分などである。
【００３８】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００３９】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００４０】
アルコール類としては、エタノールなどの１価の低級アルコール，ラウリルアルコールなどの１価の高級アルコール，エチレングリコールなどの多価アルコールなどを用いる。
【００４１】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００４２】
高分子化合物としては、メチルセルロース，ゼラチン，デンプン，カゼインなどを用いる。
【００４３】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００４４】
さらに、上記内容物以外の、懸濁剤，紫外線吸収剤，乳化剤，保湿剤，酸化防止剤、金属イオン封鎖剤なども用いることができる。
【００４５】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【図面の簡単な説明】
【００４６】
【図１】内容物放出機構の静止モード（噴射ボタンが操作されていない状態）を示す説明図である。
【図２】内容物放出機構の作動モード（噴射ボタンが操作されて下動した状態）を示す説明図である。
【図３】ステムのフィルタ作用部(a)および流れ絞り部(b)それぞれの部分における断面状態を示す説明図である。
【符号の説明】
【００４７】
１：マウンティングキャップ
２：ハウジング
３：ステム（＝筒状部材４＋鞘状部材５）
４：筒状部材
４ａ：内部空間域
４ｂ：大径外周面
４ｃ：上方広がりのテーパ状外周面
４ｄ：中径外周面
４ｅ：フィルタ用の縦スリット（図３(a)参照）
４ｆ：小径外周面
４ｇ：流れ絞り用の縦スリット（図３(b)参照）
４ｈ：径方向凹状部
５：鞘状部材
５ａ：上端環状面
５ｂ：開口側内周面
５ｃ：大径内周面
５ｄ：中径内周面
５ｅ：小径内周面
５ｆ：底面
６：噴射ボタン
６ａ：内部空間域
７：コイルスプリング
８：ステムガスケット
ｄ１：フィルタ用の縦スリット４ｅの最大深さ
ｄ２：流れ絞り用の縦スリット４ｇの最大深さ
ｗ１：縦スリット４ｅの幅
ｗ２：縦スリット４ｇの幅
ｖ：バルブ作用部
【図１】
2008105682.tif 000003
【図２】
2008105682.tif 000004
【図３】
2008105682.tif 000005